【手続補正書】
【提出日】平成19年8月15日(2007.8.15)
【手続補正１】
【補正対象書類名】特許請求の範囲
【補正対象項目名】全文
【補正方法】変更
【補正の内容】
【特許請求の範囲】
【請求項１】
メインコンデンサを充電する第１の昇圧手段と、該第１の昇圧手段の昇圧動作により前記メインコンデンサの充電電圧が第１の所定範囲または所定値に至るように制御する第１の制御手段とを有するストロボ装置と、
前記メインコンデンサを充電するための外部電源としての出力電圧を発生させる第２の昇圧手段と、該第２の昇圧手段の昇圧動作により前記出力電圧が第２の所定範囲または所定値に至るように制御する第２の制御手段とを有し、前記ストロボ装置に接続される外部電源とにより構成されるストロボシステムであって、
前記ストロボ装置が、該ストロボ装置に前記外部電源が接続されたか否かを検出する検出手段を有し、
前記第１の制御手段は、前記検出手段により前記外部電源が前記ストロボ装置に接続されていることが検出された場合に、前記メインコンデンサの充電電圧の第１の所定範囲または所定値を発光許可電圧よりも高い第３の所定範囲または所定値に変更するようにしたことを特徴とするストロボシステム。
【請求項２】
前記第１の制御手段は、前記第１の昇圧手段による充電能力に応じて、前記メインコンデンサの充電電圧の第１の所定範囲または所定値を、前記外部電源の出力電圧の第２の所定範囲または所定値より低い予め設定された電圧に変更する処理と、前記メインコンデンサの充電電圧の第１の所定範囲または所定値を、前記外部電源の出力電圧の第２の所定範囲または所定値より高い予め設定された電圧に変更する処理とを、切り替えるようにしたことを特徴とする請求項１に記載のストロボシステム。
【請求項３】
メインコンデンサを充電する昇圧手段と、該昇圧手段の昇圧動作により前記メインコンデンサの充電電圧が所定範囲または所定値に至るように制御する制御手段とを有するストロボ装置において、
前記メインコンデンサを充電するための外部電源が接続されたか否かを検出する検出手段を有し、
前記制御手段は、前記検出手段により前記外部電源が当該ストロボ装置に接続されていることが検出された場合に、前記メインコンデンサの充電電圧の所定範囲または所定値を発光許可電圧よりも高い別の所定範囲または所定値に変更するようにしたことを特徴とするストロボ装置。
【請求項４】
前記制御手段は、前記昇圧手段による充電能力に応じて、前記メインコンデンサの充電電圧の所定範囲または所定値を、予め設定された低い電圧に変更する処理と、前記メインコンデンサの充電電圧の所定範囲または所定値を予め設定された高い電圧に変更する処理とを、切り替えるようにしたことを特徴とする請求項３に記載のストロボ装置。
【請求項５】
メインコンデンサを充電する第１の昇圧手段と、該第１の昇圧手段の昇圧動作により前記メインコンデンサの充電電圧が第１の所定範囲または所定値に至るように制御する第１の制御手段とを有するストロボ装置と、
前記メインコンデンサを充電するための外部電源としての出力電圧を発生させる第２の昇圧手段と、該第２の昇圧手段の昇圧動作により前記出力電圧が第２の所定範囲または所定値に至るように制御する第２の制御手段とを有し、前記ストロボ装置に接続される外部電源とにより構成されるストロボシステムであって、
前記ストロボ装置が、該ストロボ装置に前記外部電源が接続されたか否かを検出する検出手段と、前記ストロボ装置及び前記外部電源に使用される電源電池の種類を判定する判定手段とを有し、
前記第１の制御手段は、前記検出手段により前記外部電源が前記ストロボ装置に接続されていることが検出された場合に、前記判定手段により判定された電源電池の種類に応じて、前記メインコンデンサの充電電圧の第１の所定範囲または所定値を発光許可電圧よりも高い第３の所定範囲または所定値に変更するようにしたことを特徴とするストロボシステム。
【請求項６】
メインコンデンサを充電する第１の昇圧手段と、該第１の昇圧手段の昇圧動作により前記メインコンデンサの充電電圧が第１の所定範囲または所定値に至るように制御する第１の制御手段とを有するストロボ装置と、
前記メインコンデンサを充電するための外部電源としての出力電圧を発生させる第２の昇圧手段と、該第２の昇圧手段の昇圧動作により前記出力電圧が第２の所定範囲または所定値に至るように制御する第２の制御手段とを有し、前記ストロボ装置に接続される外部電源とにより構成されるストロボシステムであって、
前記ストロボ装置が、該ストロボ装置に前記外部電源が接続されたか否かを検出する検出手段を有し、
前記外部電源が、前記ストロボ装置及び前記外部電源に使用される電源電池の種類を判定する判定手段を有し、
前記第２の制御手段は、前記外部電源が前記ストロボ装置に接続されている場合に、前記判定手段により判定された電源電池の種類に応じて、前記出力電圧の第２の所定範囲または所定値を発光許可電圧よりも高い第３の所定範囲または所定値に変更するようにしたことを特徴とするストロボシステム。
【請求項７】
メインコンデンサを充電する昇圧手段と、該昇圧手段の昇圧動作により前記メインコンデンサの充電電圧が所定範囲または所定値に至るように制御する制御手段とを有するストロボ装置において、
前記メインコンデンサを充電するための外部電源が接続されたか否かを検出する検出手段と、当該ストロボ装置及び前記外部電源に使用される電源電池の種類を判定する判定手段とを有し、
前記制御手段は、前記検出手段により前記外部電源が当該ストロボ装置に接続されていることが検出された場合に、前記判定手段により判定された電源電池の種類に応じて、前記メインコンデンサの充電電圧の所定範囲または所定値を発光許可電圧よりも高い別の所定範囲または所定値に変更するようにしたことを特徴とするストロボ装置。
【手続補正２】
【補正対象書類名】明細書
【補正対象項目名】０００５
【補正方法】変更
【補正の内容】
【０００５】
なお、例えば、所定時間、所定負荷への通電を行い、この際の電圧降下を検出する手段を備え、ストロボ内蔵電池および外部電源の電池の消耗度あるいは容量を検出する装置は既に存在するが、検出精度が良くなく、回路構成も複雑になり、コストも高くなってしまう。
【手続補正３】
【補正対象書類名】明細書
【補正対象項目名】０００７
【補正方法】変更
【補正の内容】
【０００７】
上記目的を達成するために、請求項１に記載の発明は、メインコンデンサを充電する第１の昇圧手段と、該第１の昇圧手段の昇圧動作により前記メインコンデンサの充電電圧が第１の所定範囲または所定値に至るように制御する第１の制御手段とを有するストロボ装置と、前記メインコンデンサを充電するための外部電源としての出力電圧を発生させる第２の昇圧手段と、該第２の昇圧手段の昇圧動作により前記出力電圧が第２の所定範囲または所定値に至るように制御する第２の制御手段とを有し、前記ストロボ装置に接続される外部電源とにより構成されるストロボシステムであって、前記ストロボ装置が、該ストロボ装置に前記外部電源が接続されたか否かを検出する検出手段を有し、前記第１の制御手段は、前記検出手段により前記外部電源が前記ストロボ装置に接続されていることが検出された場合に、前記メインコンデンサの充電電圧の第１の所定範囲または所定値を発光許可電圧よりも高い第３の所定範囲または所定値に変更するようにしたストロボシステムとするものである。
【手続補正４】
【補正対象書類名】明細書
【補正対象項目名】０００９
【補正方法】変更
【補正の内容】
【０００９】
同じく上記目的を達成するために、請求項５に記載の発明は、メインコンデンサを充電する第１の昇圧手段と、該第１の昇圧手段の昇圧動作により前記メインコンデンサの充電電圧が第１の所定範囲または所定値に至るように制御する第１の制御手段とを有するストロボ装置と、前記メインコンデンサを充電するための外部電源としての出力電圧を発生させる第２の昇圧手段と、該第２の昇圧手段の昇圧動作により前記出力電圧が第２の所定範囲または所定値に至るように制御する第２の制御手段とを有し、前記ストロボ装置に接続される外部電源とにより構成されるストロボシステムであって、前記ストロボ装置が、該ストロボ装置に前記外部電源が接続されたか否かを検出する検出手段と、前記ストロボ装置及び前記外部電源に使用される電源電池の種類を判定する判定手段とを有し、前記第１の制御手段は、前記検出手段により前記外部電源が前記ストロボ装置に接続されていることが検出された場合に、前記判定手段により判定された電源電池の種類に応じて、前記メインコンデンサの充電電圧の第１の所定範囲または所定値を発光許可電圧よりも高い第３の所定範囲または所定値に変更するようにしたストロボシステムとするものである。
【手続補正５】
【補正対象書類名】明細書
【補正対象項目名】００１０
【補正方法】変更
【補正の内容】
【００１０】
同じく上記目的を達成するために、請求項６に記載の発明は、メインコンデンサを充電する第１の昇圧手段と、該第１の昇圧手段の昇圧動作により前記メインコンデンサの充電電圧が第１の所定範囲または所定値に至るように制御する第１の制御手段とを有するストロボ装置と、前記メインコンデンサを充電するための外部電源としての出力電圧を発生させる第２の昇圧手段と、該第２の昇圧手段の昇圧動作により前記出力電圧が第２の所定範囲または所定値に至るように制御する第２の制御手段とを有し、前記ストロボ装置に接続される外部電源とにより構成されるストロボシステムであって、前記ストロボ装置が、該ストロボ装置に前記外部電源が接続されたか否かを検出する検出手段を有し、前記外部電源が、前記ストロボ装置及び前記外部電源に使用される電源電池の種類を判定する判定手段を有し、前記第２の制御手段は、前記外部電源が前記ストロボ装置に接続されている場合に、前記判定手段により判定された電源電池の種類に応じて、前記出力電圧の第２の所定範囲または所定値を発光許可電圧よりも高い第３の所定範囲または所定値に変更するようにしたストロボシステムとするものである。
【手続補正６】
【補正対象書類名】明細書
【補正対象項目名】００１１
【補正方法】変更
【補正の内容】
【００１１】
同じく上記目的を達成するために、請求項７に記載の発明は、メインコンデンサを充電する昇圧手段と、該昇圧手段の昇圧動作により前記メインコンデンサの充電電圧が所定範囲または所定値に至るように制御する制御手段とを有するストロボ装置において、前記メインコンデンサを充電するための外部電源が接続されたか否かを検出する検出手段と、当該ストロボ装置及び前記外部電源に使用される電源電池の種類を判定する判定手段とを有し、前記制御手段は、前記検出手段により前記外部電源が当該ストロボ装置に接続されていることが検出された場合に、前記判定手段により判定された電源電池の種類に応じて、前記メインコンデンサの充電電圧の所定範囲または所定値を発光許可電圧よりも高い別の所定範囲または所定値に変更するようにしたストロボ装置とするものである。